(57)【要約】【課題】本発明は、電源回路の瞬時停電耐量を確保することと、タイマー制御終了後に素早く制御手段であるマイクロコンピュータにリセットをかけることを可能とし、繰返し調理加熱の開始準備時間を短縮することができるポップアップ式のトースターを提供することを目的とする。【解決手段】制御手段５は、電源回路６からの電圧供給による電圧上昇によるリセット解除でタイマー制御を開始し、タイマー制御終了時に電源回路６からの電圧供給停止による電圧低下によるリセットで制御手段５が停止する構成において、制御手段５は、タイマー制御終了後に短時間で次回のタイマー制御を開始できるようにするため、電磁石４の通電停止後に電源回路６の回路電流を消費させる放電負荷回路を駆動して電源回路６の残存電圧を短時間で低下させるようにしたものである。【選択図】図１
2014151033.tif 000002
【特許請求の範囲】
【請求項１】
パン昇降レバーと、当該パン昇降レバーの上下移動と共にオン又はオフするヒータと、放電負荷回路と、当該放電負荷回路に接続され、前記放電負荷回路を通電又は非通電にするスイッチと、当該スイッチに接続され、前記スイッチをオン又はオフ制御する制御部と、当該制御部と前記放電負荷回路に接続されたコンデンサと、を有し、
前記制御部は、前記ヒータがオフの状態で前記スイッチをオンするように制御することにより、前記コンデンサに充電された電流を前記放電負荷回路にて消費するように制御することを特徴とするトースター。
【請求項２】
パン昇降レバーと、当該パン昇降レバーの位置を保持する電磁石と、当該電磁石に接続され、前記電磁石を通電又は非通電にするスイッチと、当該スイッチに接続され、前記スイッチを制御する制御部と、当該制御部と前記電磁石に接続されたコンデンサと、を有し、
前記制御部は、前記電磁石がオフの状態で、前記スイッチをオンするように制御することにより、前記コンデンサに充電された電流により前記電磁石が通電されることを特徴とするトースター。
【請求項３】
電源と、当該電源と通電スイッチを介して接続されたヒータと、当該ヒータと並列に接続された放電負荷回路及び当該放電負荷回路を通電又は非通電にするスイッチと、前記放電負荷回路及びスイッチと並列に接続されたコンデンサと、当該コンデンサと並列に接続され且つ前記スイッチをオンオフ制御する制御部と、パン昇降レバーと、を有し、
前記パン昇降レバーが上がった状態で且つ前記通電スイッチと前記ヒータがオフの状態で、前記制御部が前記スイッチをオンするように制御し、前記コンデンサに充電されている電流を前記放電負荷回路で消費させることを特徴とするトースター。
【請求項４】
電源と、当該電源と通電スイッチを介して接続されたヒータと、当該ヒータと並列に接続された電磁石及び当該電磁石を通電又は非通電にするスイッチと、前記電磁石及びスイッチと並列に接続されたコンデンサと、当該コンデンサと並列に接続され且つ前記スイッチをオンオフ制御する制御部と、パン昇降レバーと、を有し、
前記パン昇降レバーが下がると前記通電スイッチがオンすると共に前記ヒータがオンし、前記電磁石が前記電源からの電流により通電し、前記パン昇降レバーの下がった状態が維持されるトースターであり、
前記パン昇降レバーが上がった状態で且つ前記通電スイッチと前記ヒータがオフの状態で、前記制御部が前記スイッチをオンするように制御し、前記コンデンサに充電されている電流により前記電磁石が通電されることを特徴とするトースター。
【請求項５】
調理物を加熱する加熱手段と、前記加熱手段に商用電源電圧を通電するための通電スイッチと、前記スイッチの異極接点間を閉じるように働く操作スイッチと、前記通電スイッチをオン状態になるように前記操作スイッチを吸着保持する電磁石と、前記電磁石をタイマー制御プログラムにより通電制御する制御手段と、前記通電スイッチにより商用電源電圧を得て前記制御手段を動作させる電源回路を備え、
前記制御手段は、前記電源回路からの電圧供給による電圧上昇によるリセット解除でタイマー制御を開始し、タイマー制御終了時に前記電源回路からの電圧供給停止による電圧低下によるリセットで前記制御手段が停止する構成において、
前記制御手段は、タイマー制御終了後に短時間で次回のタイマー制御を開始できるようにするため、前記電磁石の通電停止後に前記電源回路の回路電流を消費させる放電負荷回路を駆動して前記電源回路の残存電圧を短時間で低下させるようにしたことを特徴とするトースター。
【請求項６】
制御手段は、放電負荷回路として電磁石を再駆動するようにして、その駆動は間欠動作とすることを特徴とする請求項５に記載のトースター。
【発明の詳細な説明】
【技術分野】
【０００１】
本発明は、ポップアップ式トースター等のトースターに関するものである。
【背景技術】
【０００２】
従来、この種のトースターは、手動式の昇降レバーを押し下げることにより通電スイッチがオンされると、加熱手段とともに電源回路に通電され制御手段のマイクロコンピュータがリセット解除されて自動的にタイマー制御が開始され、予め設定された調理加熱時間の間電磁石を駆動して昇降レバーを吸着し、通電スイッチをオン状態に保持する。
【０００３】
続いて、タイマー時間が終了すると電磁石の駆動が停止され、電磁石の駆動停止により昇降レバーが上昇して通電スイッチがオフされる。そして、加熱手段と電源回路の商用電源電圧が無くなるため調理加熱は終了する。
【０００４】
電源回路は、電解コンデンサ等の充電電圧がその容量に応じた放電時間で低下することによりマイクロコンピュータは所定のリセット電圧を下回るとプログラム動作が停止する。同様に、次の加熱調理時も通電スイッチのオンにより、マイクロコンピュータが再びリセット解除されることでタイマー制御が動作開始する。
【０００５】
使用者がタイマー時間に係わらず途中で調理加熱を停止する場合は、停止スイッチを押す。停止スイッチは制御手段の信号を強制的に切るように構成されており、電磁石の通電停止により通電スイッチがオフされて調理加熱が終了する。また、商用電源の瞬時停電でマイクロコンピュータが容易にリセットされないように電源回路の電解コンデンサは容量を大きくして停電耐量を確保しており、商用電源のオフ時や停電時に電解コンデンサが容易に放電しないように回路電流を小さく抑えている。
【０００６】
また、このようにマイクロコンピュータに電解コンデンサを接続した構造は周知であり、例えば特許文献１には、マイクロコンピュータに電解コンデンサを並列に接続させ、停電時には電解コンデンサからの電流によりマイクロコンピュータ内部のメモリに格納されている情報を保持する技術が記載されている。
【先行技術文献】
【特許文献】
【０００７】
【特許文献１】特開昭５４−８０４６８号公報
【発明の概要】
【発明が解決しようとする課題】
【０００８】
しかしながら、前記従来の構成では、制御回路を安価にするため回路を簡素化し、昇降レバーが押し下げられたことの位置モニターや、商用電源電圧が通電されていることを監視する電源モニターを備えていない。
【０００９】
そのため、商用電源電圧の通電開始を検知してタイマー制御を開始したり、通電停止を検知してタイマー制御を中止することができない構成である。すなわち、タイマー制御は制御回路の電源電圧上昇によるマイクロコンピュータのリセット解除により動作開始し、電源電圧低下によるマイクロコンピュータのリセットにより停止する構成である。
【００１０】
一方、商用電源の瞬時の停電時には調理加熱が容易に中断されないように電磁石を駆動し続ける必要があるため、制御回路の電源回路の電解コンデンサ容量を大きくして瞬時停電耐量を確保している。
【００１１】
上記従来の構成によれば、タイマー制御が終了して通電スイッチがオフした後に直ぐに２回目の調理加熱を開始した場合、制御回路の電源回路の電圧がまだ低下していない状態で再通電するため、マイクロコンピュータがまだリセットされていない場合はタイマー制御が開始できない。そのため、リセットされるまでしばらく待たなければならないという課題があった。また、タイマー制御途中で停止スイッチにより調理加熱を中断し、直ぐに続けて昇降レバーを押し下げた場合も同様に、マイクロコンピュータがリセットされていないのでタイマー制御が開始されないという課題を有していた。
【００１２】
本発明は、前記従来の課題を解決するもので、電源回路の瞬時停電耐量を確保することと、タイマー制御終了後に素早く制御手段であるマイクロコンピュータにリセットをかけることを可能とし、繰返し調理加熱の開始準備時間を短縮して連続使用の開始の反応を良くすることができるポップアップ式のトースターを提供することを目的とする。
【課題を解決するための手段】
【００１３】
前記従来の課題を解決するために、請求項１に記載の発明は、パン昇降レバーと、当該パン昇降レバーの上下移動と共にオン又はオフするヒータと、放電負荷回路と、当該放電負荷回路に接続され、前記放電負荷回路を通電又は非通電にするスイッチと、当該スイッチに接続され、前記スイッチをオン又はオフ制御する制御部と、当該制御部と前記放電負荷回路に接続されたコンデンサと、を有し、前記制御部は、前記ヒータがオフの状態で前記スイッチをオンするように制御することにより、前記コンデンサに充電された電流を前記放電負荷回路にて消費するように制御することを特徴とする。
【００１４】
請求項２に記載の発明は、パン昇降レバーと、当該パン昇降レバーの位置を保持する電磁石と、当該電磁石に接続され、前記電磁石を通電又は非通電にするスイッチと、当該スイッチに接続され、前記スイッチを制御する制御部と、当該制御部と前記電磁石に接続されたコンデンサと、を有し、前記制御部は、前記電磁石がオフの状態で、前記スイッチをオンするように制御することにより、前記コンデンサに充電された電流により前記電磁石が通電されることを特徴とする。
【００１５】
請求項３に記載の発明は、電源と、当該電源と通電スイッチを介して接続されたヒータと、当該ヒータと並列に接続された放電負荷回路及び当該放電負荷回路を通電又は非通電にするスイッチと、前記放電負荷回路及びスイッチと並列に接続されたコンデンサと、当該コンデンサと並列に接続され且つ前記スイッチをオンオフ制御する制御部と、パン昇降レバーと、を有し、前記パン昇降レバーが上がった状態で且つ前記通電スイッチと前記ヒータがオフの状態で、前記制御部が前記スイッチをオンするように制御し、前記コンデンサに充電されている電流を前記放電負荷回路で消費させることを特徴とする。
【００１６】
請求項４に記載の発明は、電源と、当該電源と通電スイッチを介して接続されたヒータと、当該ヒータと並列に接続された電磁石及び当該電磁石を通電又は非通電にするスイッチと、前記電磁石及びスイッチと並列に接続されたコンデンサと、当該コンデンサと並列に接続され且つ前記スイッチをオンオフ制御する制御部と、パン昇降レバーと、を有し、前記パン昇降レバーが下がると前記通電スイッチがオンすると共に前記ヒータがオンし、前記電磁石が前記電源からの電流により通電し、前記パン昇降レバーの下がった状態が維持されるトースターであり、前記パン昇降レバーが上がった状態で且つ前記通電スイッチと前記ヒータがオフの状態で、前記制御部が前記スイッチをオンするように制御し、前記コンデンサに充電されている電流を前記電磁石に供給することを特徴とする。
【００１７】
請求項５に記載の発明は、調理物を加熱する加熱手段と、前記加熱手段に商用電源電圧を通電するための通電スイッチと、前記スイッチの異極接点間を閉じるように働く操作スイッチと、前記通電スイッチをオン状態になるように前記操作スイッチを吸着保持する電磁石と、前記電磁石をタイマー制御プログラムにより通電制御する制御手段と、前記通電スイッチにより電源電圧を得て前記制御手段を動作させる電源回路を備え、前記制御手段は、前記電源回路からの電圧供給による電圧上昇によるリセット解除でタイマー制御を開始し、タイマー制御終了時に前記電源回路からの電圧供給停止による電圧低下によるリセットで前記制御手段が停止する構成において、前記制御手段は、タイマー制御終了後に短時間で次回のタイマー制御を開始できるようにするため、前記電磁石の通電停止後に前記電源回路の回路電流を消費させる放電負荷回路を駆動して前記電源回路の残存電圧を短時間で低下させるようにしたものである。
【００１８】
これによって、タイマー制御終了後に電源回路の残存電圧が短時間で低下するため制御回路のリセットが早期に行えるため、リセット発生までの待機時間が短縮され、短時間で次回のタイマー制御が開始できるようになる。
【００１９】
また、請求項６に記載の発明は、制御手段により、放電負荷回路として電磁石を再駆動するようにして、その駆動は間欠動作とするようにしたものである。これによって、新たに放電負荷回路を設ける必要がない。また、電磁石の再駆動中であっても電源回路の残存電圧が残っている時に操作スイッチを操作すると、通電スイッチがオンされて加熱手段に通電されてしまうが、間欠駆動としているため直ぐに電磁石の吸着が無くなり操作スイッチをオフすることができる。
【発明の効果】
【００２０】
本発明のトースターは、商用電源電圧の瞬時停電耐量に余裕を持たせて電源回路の残存電圧が容易に低下しない構成である場合でも連続使用時の加熱開始前の待機時間を短縮することができる。
【図面の簡単な説明】
【００２１】
【図１】本発明の実施の形態におけるトースターの回路構成図
【図２】本発明の実施の形態におけるトースターの外観斜視図
【図３】本発明の実施の形態におけるトースターの通電スイッチ部の要部断面図
【図４】本発明の実施の形態におけるトースターの制御回路の電源電圧とトランジスタの動作タイムチャート
【図５】従来のトースターの制御回路の電源電圧とトランジスタの動作タイムチャート
【発明を実施するための形態】
【００２２】
本発明の第１の実施態様は、パン昇降レバーと、当該パン昇降レバーの上下移動と共にオン又はオフするヒータと、放電負荷回路と、当該放電負荷回路に接続され、前記放電負荷回路を通電又は非通電にするスイッチと、当該スイッチに接続され、前記スイッチをオン又はオフ制御する制御部と、当該制御部と前記放電負荷回路に接続されたコンデンサと、を有し、前記制御部は、前記ヒータがオフの状態で前記スイッチをオンするように制御することにより、前記コンデンサに充電された電流を前記放電負荷回路にて消費するように制御することを特徴とする。
【００２３】
本発明の第２の実施態様は、パン昇降レバーと、当該パン昇降レバーの位置を保持する電磁石と、当該電磁石に接続され、前記電磁石を通電又は非通電にするスイッチと、当該スイッチに接続され、前記スイッチを制御する制御部と、当該制御部と前記電磁石に接続されたコンデンサと、を有し、前記制御部は、前記電磁石がオフの状態で、前記スイッチをオンするように制御することにより、前記コンデンサに充電された電流により前記電磁石が通電されることを特徴とする。
【００２４】
本発明の第３の実施態様は、電源と、当該電源と通電スイッチを介して接続されたヒータと、当該ヒータと並列に接続された放電負荷回路及び当該放電負荷回路を通電又は非通電にするスイッチと、前記放電負荷回路及びスイッチと並列に接続されたコンデンサと、当該コンデンサと並列に接続され且つ前記スイッチをオンオフ制御する制御部と、パン昇降レバーと、を有し、前記パン昇降レバーが上がった状態で且つ前記通電スイッチと前記ヒータがオフの状態で、前記制御部が前記スイッチをオンするように制御し、前記コンデンサに充電されている電流を前記放電負荷回路で消費させることを特徴とする。
【００２５】
本発明の第４の実施態様は、電源と、当該電源と通電スイッチを介して接続されたヒータと、当該ヒータと並列に接続された電磁石及び当該電磁石を通電又は非通電にするスイッチと、前記電磁石及びスイッチと並列に接続されたコンデンサと、当該コンデンサと並列に接続され且つ前記スイッチをオンオフ制御する制御部と、パン昇降レバーと、を有し、前記パン昇降レバーが下がると前記通電スイッチがオンすると共に前記ヒータがオンし、前記電磁石が前記電源からの電流により通電し、前記パン昇降レバーの下がった状態が維持されるトースターであり、前記パン昇降レバーが上がった状態で且つ前記通電スイッチと前記ヒータがオフの状態で、前記制御部が前記スイッチをオンするように制御し、前記コンデンサに充電されている電流を前記電磁石に供給することを特徴とする。
【００２６】
本発明の第５の実施態様は、調理物を加熱する加熱手段と、前記加熱手段に商用電源電圧を通電するための通電スイッチと、前記スイッチの異極接点間を閉じるように働く操作スイッチと、前記通電スイッチをオン状態になるように前記操作スイッチを吸着保持する電磁石と、前記電磁石をタイマー制御プログラムにより通電制御する制御手段と、前記通電スイッチにより商用電源電圧を得て前記制御手段を動作させる電源回路を備え、前記制御手段は、前記電源回路からの電圧供給による電圧上昇によるリセット解除でタイマー制御を開始し、タイマー制御終了時に前記電源回路からの電圧供給停止による電圧低下によるリセットで前記制御手段が停止する構成において、前記制御手段は、タイマー制御終了後に短時間で次回のタイマー制御を開始できるようにするため、前記電磁石の通電停止後に前記電源回路の回路電流を消費させる放電負荷回路を駆動して前記電源回路の残存電圧を短時間で低下させるようにしたものである。これによって、タイマー制御終了後に電源回路の残存電圧が短時間で低下するため制御回路のリセットが早期に行えるため、リセット発生までの待機時間が短縮され、短時間で次回のタイマー制御が開始できるようになる。よって、商用電源電圧の瞬時停電耐量に余裕を持たせて電源回路の残存電圧が容易に低下しない構成である場合でも連続使用時の加熱開始前の待機時間を短縮することができる。
【００２７】
本発明の第６の実施態様は、特に、第５の実施態様において、制御手段は、放電負荷回路として電磁石を再駆動するようにして、その駆動は間欠動作とするようにしたものである。これによって、新たに放電負荷回路を設ける必要がない。また、電磁石の再駆動中であっても電源回路の残存電圧が残っている時に操作スイッチを操作すると、通電スイッチがオンされて加熱手段に通電されてしまうが、間欠駆動としているため直ぐに電磁石の吸着が無くなり操作スイッチをオフすることができる。
【実施例】
【００２８】
図１は、本発明の実施の形態におけるトースターの回路構成図を示すものである。図２は、本発明の実施の形態におけるトースターの外観斜視図である。また、図３は、本発明の実施の形態におけるトースターの操作スイッチ部の要部断面図である。
【００２９】
図１において、加熱手段１は、本体に収納したパンを焼くためのヒータであり、図２に示すように２口のパン挿入部の両側面に配置している。通電スイッチ２は、加熱手段１および電源回路６に電源電圧を通電するための両切りスイッチであり、図３に示すように、２対の板ばねと接点により構成している。
【００３０】
図３において、操作スイッチ３は上下に可動するパン昇降レバー３ａと、常時上方向にパン昇降レバー３ａを引っ張るばね３ｂと、下方向に下げたときに通電スイッチ２をオンさせるスイッチ押さえ部３ｄと、電磁石４に当接させる吸着板３ｃから構成される。
【００３１】
電源回路６は、加熱手段１を利用してヒータの抵抗比で約１２Ｖに分圧される部分から電圧が供給され、整流ダイオード６ａで半波整流した後に電解コンデンサ６ｂで平滑して約１５Ｖの直流電圧を電圧レギュレータ６ｃに入力している。
【００３２】
電圧レギュレータ６ｃは約１５Ｖから約５Ｖの安定した電圧に降圧して制御手段５の電源にしている。
【００３３】
電解コンデンサ６ｄは、約５Ｖの電圧を安定化させるものであり、商用電源電圧の瞬時の電圧低下時に約５Ｖの電圧が低下してマイクロコンピュータ５ａ（制御部）が容易にリセットしないような容量のものを使用している。例えば、商用電源電圧が約０．２秒間１００％低下してもマイクロコンピュータ５ａがリセットしないように２２０μＦの電解コンデンサを使用している。
【００３４】
電磁石４は、１５Ｖで駆動する１Ｗのものである。
【００３５】
制御手段５は、マイクロコンピュータ５ａ（制御部）と、電磁石４を駆動するトランジスタ５ｂ、更には、例えばその他スイッチ、表示関連等を備えた構成である。
【００３６】
尚、本実施例装置では、マイクロコンピュータ５ａやトランジスタ５ｂ等を含んだものを制御手段５としているが、マイクロコンピュータ５ａを制御手段とし、トランジスタ５ｂ等の構成とマイクロコンピュータ５ａとを別々の構成としても良い。電磁石４（放電負荷回路）を制御するという意味では、マイクロコンピュータ５ａやトランジスタ５ｂ等を含めて制御手段と説明する方が好ましいかもしれないが、トランジスタ５ｂ等の構成をマイクロコンピュータ５ａが制御するという意味では、マイクロコンピュータ５ａを制御手段として説明する方が好ましいかもしれない。
【００３７】
本実施の回路は、商用電源電圧を検知する電源モニター回路もパン昇降レバー３ａが押し下げられたことを検知する位置モニターも回路簡素化のため省略しているため、モニターによるタイマー制御プログラムの開始終了を行うことができず、プログラム開始にはリセット解除をさせなければならない構成としている。
【００３８】
以上のように構成されたトースターについて、以下その動作、作用を説明する。
【００３９】
まず、使用者がパン昇降レバー３ａを押しさげるとスイッチ押さえ部３ｄが通電スイッチ２の接点を閉じる。同時に吸着板３ｃは電磁石４に接する状態になる。通電スイッチ２がオンされると、加熱手段１に通電されるとともに電源回路６に電圧が供給される。
【００４０】
電圧レギュレータ６ｃの出力が約２．５Ｖ以上に上昇するとマイクロコンピュータ５ａはリセット解除されてタイマー制御プログラムが開始され、トランジスタ５ｂを予め設定されたタイマー時間オンする。トランジスタ５ｂのオンにより電磁石４に通電されて吸着板３ｃを吸着する。その後は使用者がパン昇降レバー３ａを離しても通電スイッチ２をオンした状態でパン昇降レバー３ａは保持される。
【００４１】
本実施例では、パンの焼き色設定を標準にした場合のタイマー時間は１５０秒としている。１５０秒経過するとマイクロコンピュータ５ａはトランジスタ５ｂをオフする。そして、電磁石４の通電が無くなり吸着板３ｃを吸着しなくなる。パン昇降レバー３ａは、ばね３ｂの戻り力により上昇するためスイッチ押さえ部３ｄが通電スイッチ２から離れ商用電源電圧の供給が無くなる。
【００４２】
商用電源電圧が無くなった後は電圧レギュレータ６ｃの出力も無くなるため、マイクロコンピュータ５ａは電解コンデンサ６ｄのバックアップ耐量による電圧で動作し、電圧がリセット電圧約２．５Ｖ以下に低下すると全てのプログラム動作が停止する。
【００４３】
図４は、リセット解除からリセットするまでのマイクロコンピュータ５ａのタイマー制御プログラムによるトランジスタ５ｂの動作とマイクロコンピュータ５ａの電源電圧のタイムチャートである。
【００４４】
図４において、マイクロコンピュータ５ａは、リセット解除後タイマー時間などの設定を読み込み、Ａ点でトランジスタ５ｂをオンする。その後、１５０秒経過したＢ点でトランジスタ５ｂを一旦オフする。その後、０．５秒待機した後にＣ点から再度０．５秒オン／０．５秒オフを繰り返す。Ｂ点で電磁石４の通電が無くなるためパン昇降レバー３ａは上昇し、通電スイッチ２のオフにより加熱手段１および電源回路６に商用電源電圧供給は無くなる。
【００４５】
Ｂ点からＣ点までは、電解コンデンサ６ｄの電荷を消費する負荷電流はマイクロコンピュータ５ａの動作電流の約２ｍＡしか無いため電圧低下は僅かであるが、Ｃ点でトランジスタ５ｂをオンするため電磁石４の通電により約３０ｍＡの電流が流れて急激に電圧が低下する。
【００４６】
その後、Ｄ点でリセット電圧約２．５Ｖ以下になると、リセットがかかりマイクロコンピュータ５ａのプログラムが停止し、再び負荷電流約２ｍＡによる電圧低下になる。Ｂ点からＤ点までに要する時間Ｔ１は本実施例では約０．８秒である。Ｄ点でリセットするためＤ点以降にパン昇降レバー３ａを下げると再びＡ点からのタイマー制御が開始できる。１回目の加熱が終了して約０．８秒待てば２回目の加熱が開始可能になる。
【００４７】
図５は、従来のトースターにおける、リセット解除からリセットするまでのマイクロコンピュータ５ａのタイマー制御プログラムによるトランジスタ５ｂの動作とマイクロコンピュータ５ａの電源電圧のタイムチャートの一例である。
【００４８】
図５において、タイマー時間が終了したＢ点でトランジスタ５ｂをオフするが、以降にトランジスタ５ｂはオンさせていない。Ｅ点でリセットがかかるまで負荷電流はマイクロコンピュータ５ａの動作電流の約２ｍＡしか無いため電圧低下は僅かであり、Ｂ点からＥ点までに要する時間Ｔ０は約３秒である。この３秒の間にパン昇降レバー３ａを押し下げても次のタイマー制御を開始することができず、逆に通電スイッチ２をオンさせてしまうため電圧を上昇させてしまいリセットがかかるまでの時間がさらに延びてしまう。
【００４９】
このように、図５に示す従来のトースターの一例では、次回の加熱開始までに約３秒以上の待機時間が必要であり、朝食準備などの忙しいときに連続でパン焼きする場合は待ち時間がストレスになり使い勝手が悪い。
【００５０】
これに対して、本実施例装置では、先ほど図４を用いて説明した動作を実行することにより、連続してパン焼きする場合でも直ちにマイクロコンピュータ５ａをリセットさせることが可能となり、連続してパンを焼くことが可能である。
【００５１】
本実施例では、加熱中の商用電源電圧の瞬時電源電圧低下時の瞬時停電耐量を約０．２秒としているが、仮に、さらに耐量を増やす必要があれば電解コンデンサ６ｄのコンデンサ容量を増やす必要があり、連続パン焼き時の待ち時間もさらに増えてしまうことになる。このような事態を回避するために、例えば、タイマー制御終了後にトランジスタ５ｂを間欠駆動させることにより、リセットがかかるまでの時間を約０．８秒に短縮させることができるため、連続パン焼き時に素早く次のパン焼きを開始することが可能となり、使用者は待ち時間にストレスは感じることは無い。
【００５２】
本実施例では、マイクロコンピュータ５ａのリセット解除によりタイマー制御が自動的に開始される簡素化したプログラムと構成であるが、連続使用時の開始応答性は商用電源電圧や昇降レバー３ａの位置を検知してタイマー制御を開始するようにした場合と同等の応答時間に短縮することができる。
【００５３】
また、放電を早めるために電磁石４に通電させることにしているため、約２０〜３０ｍＡ程度の放電負荷回路を別に設ける必要がなく、回路を簡素化することができる。即ち、本実施例装置では、電磁石４に電流を流すことにより電解コンデンサ６ｄの放電を早め、電磁石４を放電負荷回路の代用として用いている。
【産業上の利用可能性】
【００５４】
以上のように、本発明にかかるトースターは、通電の検知モニターが無く、瞬時停電耐量が大きい構造であっても、連続繰返し加熱の開始待ち時間を短縮することができるので、連続繰返し加熱を行う必要のある他の調理器にも適用できる。
【符号の説明】
【００５５】
１  加熱手段
２  通電スイッチ
３  操作スイッチ
４  電磁石（放電負荷回路）
５  制御手段
５ａ  マイクロコンピュータ（制御部）
６  電源回路
【図１】
2014151033.tif 000003
【図２】
2014151033.tif 000004
【図３】
2014151033.tif 000005
【図４】
2014151033.tif 000006
【図５】
2014151033.tif 000007